【手続補正書】
【提出日】平成17年5月17日(2005.5.17)
【手続補正１】
【補正対象書類名】明細書
【補正対象項目名】特許請求の範囲
【補正方法】変更
【補正の内容】
【特許請求の範囲】
【請求項１】
情報データを含む記録信号を担うピット列が記録されている記録媒体であって、
前記ピット列は前記情報データのコピー防止情報に対応した形態で蛇行して形成されていることを特徴とする記録媒体。
【請求項２】
前記請求項１に記載のコピー防止情報とは、アドレスであることを特徴とする記録媒体。
【請求項３】
前記記録信号は、前記情報データを前記情報データのアドレスに基づいてスクランブル処理して得られた信号であることを特徴とする請求項２記載の記録媒体。
【請求項４】
情報データを記録媒体に記録する情報記録装置であって、
コピー防止情報に対応した所定の一定振幅の波形を有するウォブル信号を生成するウォブル変調手段と、
記録ビームを前記記録媒体に照射しつつ前記記録ビームの照射軸を前記ウォブル信号に応じて前記記録媒体のトラック直交方向に偏倚せしめる記録手段と、を有することを特徴とする情報記録装置。
【請求項５】
前記コピー防止情報に基づいて前記情報データに対して所定のスクランブル処理を施してスクランブルデータ信号を生成するスクランブル手段と、
を更に有し、
前記記録手段は、前記スクランブルデータ信号に応じた記録ビームを前記記録媒体に照射することを特徴とする請求項４記載の情報記録装置。
【請求項６】
前記コピー情報は、アドレスであることを特徴とする請求項４または５に記載の情報記録装置。
【請求項７】
情報データを記録媒体に記録する情報記録方法であって、
コピー防止情報に対応した所定の一定振幅の波形を有するウォブル信号を生成するウォブル変調工程と、
記録ビームを前記記録媒体に照射させつつ前記記録ビームの照射軸を前記ウォブル信号に応じて前記記録媒体のトラック直交方向に偏倚せしめる記録工程と、を有することを特徴とする情報記録方法。
【請求項８】
前記コピー防止情報に基づいて前記情報データに対して所定のスクランブル処理を施してスクランブルデータ信号を生成するスクランブル工程と、
を更に有し、
前記記録工程は、前記スクランブルデータ信号に応じた記録ビームを前記記録媒体に照射することを特徴とする請求項７記載の情報記録方法。
【請求項９】
前記コピー情報は、アドレスであることを特徴とする請求項７または８に記載の情報記録装置。
【請求項１０】
情報データを前記情報データのアドレスに基づいてスクランブル処理して得られたスクランブルデータ信号を担うピット列が前記アドレスに対応した形態で蛇行して記録されている記録媒体から記録情報の再生を行う情報再生装置であって、
前記記録媒体から記録情報の読み取りを行って読取信号を得る読取手段と、
前記読取信号に基づいて前記スクランブルデータ信号を復調する復調手段と、
前記読取信号から前記ピット列の蛇行形態に対応したウォブル信号を検出するウォブル検出手段と、
前記ウォブル信号に基づいて前記アドレスを復調してこれを再生アドレスとして出力するアドレス復調手段と、
前記再生アドレスに基づいて前記スクランブルデータ信号のスクランブルを解除することにより前記情報データを復元しこれを再生情報データとして出力するスクランブル解除手段と、を有することを特徴とする情報再生装置。
【請求項１１】
情報データ及び前記情報データのアドレスを含む記録信号を担うピット列が前記アドレスに対応した形態で蛇行して記録されている記録媒体から記録情報の再生を行う情報再生装置であって、
前記記録媒体から記録情報の読み取りを行って読取信号を得る読取手段と、
前記読取信号から前記ピット列の蛇行形態に対応したウォブル信号を検出するウォブル検出手段と、
前記ウォブル信号に基づいて前記アドレスを復調してこれを第１再生アドレスとして出力するアドレス復調手段と、
前記読取信号に基づいて前記情報データ及び前記アドレスを含む復調情報データを復調する復調手段と、
前記復調情報データ中から前記アドレスを抽出してこれを第２再生アドレスとして出力するアドレス抽出手段と、
前記第１再生アドレスと前記第２再生アドレスとが一致した場合に限り前記復調情報データ中の前記情報データを再生情報データとして出力する出力ゲート手段と、を有することを特徴とする情報再生装置。
【請求項１２】
情報データを前記情報データのアドレスに基づいてスクランブル処理して得られたスクランブルデータ信号を担うピット列が前記アドレスに対応した形態で蛇行して記録されている記録媒体から記録情報の再生を行う情報再生方法であって、
前記記録媒体から記録情報の読み取りを行って読取信号を得る読取工程と、
前記読取信号に基づいて前記スクランブルデータ信号を復調する復調工程と、
前記読取信号から前記ピット列の蛇行形態に対応したウォブル信号を検出するウォブル検出工程と、
前記ウォブル信号に基づいて前記アドレスを復調してこれを再生アドレスとして出力するアドレス復調工程と、
前記再生アドレスに基づいて前記スクランブルデータ信号のスクランブルを解除することにより前記情報データを復元しこれを再生情報データとして出力するスクランブル解除工程と、を有することを特徴とする情報再生方法。
【請求項１３】
情報データ及び前記情報データのアドレスを含む記録信号を担うピット列が前記アドレスに対応した形態で蛇行して記録されている記録媒体から記録情報の再生を行う情報再生方法であって、
前記記録媒体から記録情報の読み取りを行って読取信号を得る読取工程と、
前記読取信号から前記ピット列の蛇行形態に対応したウォブル信号を検出するウォブル検出工程と、
前記ウォブル信号に基づいて前記アドレスを復調してこれを第１再生アドレスとして出力するアドレス復調工程と、
前記読取信号に基づいて前記情報データ及び前記アドレスを含む復調情報データを復調する復調工程と、
前記復調情報データ中から前記アドレスを抽出してこれを第２再生アドレスとして出力するアドレス抽出工程と、
前記第１再生アドレスと前記第２再生アドレスとが一致した場合に限り前記復調情報データ中の前記情報データを再生情報データとして出力する出力ゲート工程と、を有することを特徴とする情報再生方法。
【手続補正２】
【補正対象書類名】明細書
【補正対象項目名】０００５
【補正方法】変更
【補正の内容】
【０００５】
【課題を解決するための手段】
本発明による記録媒体は、情報データを含む記録信号を担うピット列が記録されている記録媒体であって、前記ピット列は前記情報データのコピー防止情報に対応した形態で蛇行（ウォブリング）して形成されている。
本発明による情報記録装置は、情報データを記録媒体に記録する情報記録装置であって、コピー防止情報に対応した所定の一定振幅の波形を有するウォブル信号を生成するウォブル変調手段と、記録ビームを前記記録媒体に照射しつつ前記記録ビームの照射軸を前記ウォブル信号に応じて前記記録媒体のトラック直交方向に偏倚せしめる記録手段と、を有する。
【手続補正３】
【補正対象書類名】明細書
【補正対象項目名】０００６
【補正方法】変更
【補正の内容】
【０００６】
本発明による情報記録方法は、情報データを記録媒体に記録する情報記録方法であって、コピー防止情報に対応した所定の一定振幅の波形を有するウォブル信号を生成するウォブル変調工程と、記録ビームを前記記録媒体に照射させつつ前記記録ビームの照射軸を前記ウォブル信号に応じて前記記録媒体のトラック直交方向に偏倚せしめる記録工程と、を有する。
【手続補正４】
【補正対象書類名】明細書
【補正対象項目名】０００９
【補正方法】変更
【補正の内容】
【０００９】
本発明の第１の特徴による情報再生方法は、情報データを前記情報データのアドレスに基づいてスクランブル処理して得られたスクランブルデータ信号を担うピット列が前記アドレスに対応した形態で蛇行して記録されている記録媒体から記録情報の再生を行う情報再生方法であって、前記記録媒体から記録情報の読み取りを行って読取信号を得る読取工程と、前記読取信号に基づいて前記スクランブルデータ信号を復調する復調工程と、前記読取信号から前記ピット列の蛇行形態に対応したウォブル信号を検出するウォブル検出工程と、前記ウォブル信号に基づいて前記アドレスを復調してこれを再生アドレスとして出力するアドレス復調工程と、前記再生アドレスに基づいて前記スクランブルデータ信号のスクランブルを解除することにより前記情報データを復元しこれを再生情報データとして出力するスクランブル解除工程と、を有する。
【手続補正５】
【補正対象書類名】明細書
【補正対象項目名】００１０
【補正方法】変更
【補正の内容】
【００１０】
又、本発明の第２の特徴による情報再生方法は、情報データ及び前記情報データのアドレスを含む記録信号を担うピット列が前記アドレスに対応した形態で蛇行して記録されている記録媒体から記録情報の再生を行う情報再生方法であって、前記記録媒体から記録情報の読み取りを行って読取信号を得る読取工程と、前記読取信号から前記ピット列の蛇行形態に対応したウォブル信号を検出するウォブル検出工程と、前記ウォブル信号に基づいて前記アドレスを復調してこれを第１再生アドレスとして出力するアドレス復調工程と、前記読取信号に基づいて前記情報データ及び前記アドレスを含む復調情報データを復調する復調工程と、前記復調情報データ中から前記アドレスを抽出してこれを第２再生アドレスとして出力するアドレス抽出工程と、前記第１再生アドレスと前記第２再生アドレスとが一致した場合に限り前記復調情報データ中の前記情報データを再生情報データとして出力する出力ゲート工程と、を有する。